(57)【要約】      （修正有）【課題】医療用廃棄物処分容器用カバー及び医療用廃棄物処分容器用カバーの製造方法を提供する。【解決手段】カバー１０は、全体として、容器の開放端を実質的に閉鎖する形体を備えた本体部分１２、及び一体に形成されたヒンジ５４を介して本体部分にヒンジ止めで相互連結された蓋部分５０を含む。ヒンジは、蓋部分と本体部分との間を延びる。本体部分は、アクセス開口部が貫通したカバー表面１４、及びこのカバー表面から垂下した、前記アクセス開口部から延びる固定された曲がりくねった経路を提供する形体を備えた、少なくとも一つの固定された傾斜した第１スライド表面を含む。【選択図】図１
2006315860.tif 000002
【特許請求の範囲】
【請求項１】
容器開放端及びこの開放端から延びる容器本体を画成し、前記容器本体は所与の方向に延びる軸線を有する、医療用廃棄物処分容器用カバーにおいて、
前記容器開放端を実質的に閉鎖する形体の本体部分であって、この本体部分は、曲がりくねった経路を持つアクセス開口部を画成し、このアクセス開口部は、軸線方向に間隔が隔てられた第１及び第２の両横縁部を持ち、前記本体部分は前記第１横縁部を画成する少なくとも一つの一体の傾斜した第１スライド表面を含む、本体部分を含み、
前記第１及び第２の横縁部は、これらの第１及び第２の横縁部を通って延びる平面が、前記所与の方向と平行であり且つ前記第２横縁部を通って延びる平面に対し、０°乃至約２５°の角度をなすような形体を備えている、カバー。
【請求項２】
請求項１に記載のカバーにおいて、前記角度は０°以上乃至約２０°である、カバー。
【請求項３】
請求項１に記載のカバーにおいて、前記角度は約２°乃至約１５°である、カバー。
【請求項４】
請求項１に記載のカバーにおいて、前記角度は約５°乃至約１０°である、カバー。
【請求項５】
請求項１に記載のカバーにおいて、前記所与の方向は、垂直平面内を延びる、カバー。
【請求項６】
請求項１に記載のカバーにおいて、前記本体部分は、前記第２横縁部を画成する一体の傾斜した第２スライド表面を含む、カバー。
【請求項７】
請求項１に記載のカバーにおいて、前記本体部分は、所与の周囲を有し、前記アクセス開口部を選択的に閉鎖する形体の蓋部分が、前記所与の周囲の一部に沿って延びる一体に形成されたヒンジによって前記本体部分にヒンジ止めされている、カバー。
【請求項８】
開放端を持つ医療用廃棄物処分容器用のカバーを形成する方法において、
所与の方向で直線的に分離できる金型アッセンブリ内に型成形可能な材料を配置する工程であって、前記金型アッセンブリは、軸線方向に間隔が隔てられた第１及び第２の両横縁部を持つアクセス開口部を画成するカバー本体部分を形成する形体のキャビティ部分を持ち、前記カバー本体部分が第１横縁部を画成する少なくとも一つの一体の傾斜した第１スライド表面を有し、前記キャビティ部分は、前記第１及び第２の横縁部を通って延びる平面が、前記所与の方向と平行であり且つ前記第２横縁部を通って延びる平面に対し、０°乃至約２５°の角度であるような形体を備えている、工程、
前記金型アッセンブリを所与の方向に分離する工程、及び
一体成形された曲がりくねった経路を持つアクセス開口部が形成されたカバーを前記金型アッセンブリから取り出す工程を含む、方法。
【請求項９】
請求項８に記載の方法において、前記角度は０°以上乃至約２０°である、方法。
【請求項１０】
請求項８に記載の方法において、前記角度は約２°乃至約１５°である、方法。
【請求項１１】
請求項８に記載の方法において、前記角度は約５°乃至約１０°である、方法。
【請求項１２】
請求項８に記載の方法において、前記キャビティ部分は、更に、前記本体部分が前記第２横縁部を画成する一体の傾斜した第２スライド表面を含むように形成されている、方法。
【請求項１３】
容器開放端を画成する医療用廃棄物処分容器用のカバーにおいて、
貫通したアクセス開口部を除いて前記容器開放端を実質的に閉鎖する形体を備えたカバー表面を含む本体部分であって、この本体部分は、前記アクセス開口部と隣接したカバー表面から垂下した、一体成形された固定された傾斜した第１及び第２のスライド表面を更に含む、本体部分を含み、
前記第１及び第２のスライド表面は重ならない関係で軸線方向に間隔が隔てられており、前記アクセス開口部から延びる曲がりくねった経路を画成する、カバー。
【請求項１４】
請求項１３に記載のカバーにおいて、前記傾斜した第１スライド表面は第１横縁部で終端し、前記傾斜した第２スライド表面は前記第１横縁部から距離ｄだけ軸線方向に離間された第２横縁部で終端する、カバー。
【請求項１５】
請求項１４に記載のカバーにおいて、前記第１横縁部は前記カバー表面から前記第２横縁部よりも大きい距離だけ離間されている、カバー。
【請求項１６】
請求項１４に記載のカバーにおいて、前記第２横縁部は前記カバー表面から前記第１横縁部よりも大きい距離だけ離間されている、カバー。
【請求項１７】
請求項１４に記載のカバーにおいて、前記距離ｄは０ｍｍ乃至約２５．４ｍｍ（０インチ乃至約１インチ）である、カバー。
【請求項１８】
請求項１４に記載のカバーにおいて、前記距離ｄは０ｍｍ以上乃至約２２．２２５ｍｍ（０インチ以上乃至約７／８インチ）である、カバー。
【請求項１９】
請求項１４に記載のカバーにおいて、前記距離ｄは約３．１７５ｍｍ乃至約１５．８７５ｍｍ（約１／８インチ乃至約５／８インチ）である、カバー。
【請求項２０】
請求項１４に記載のカバーにおいて、前記距離ｄは約６．３５ｍｍ乃至約１２．７ｍｍ（約１／４インチ乃至約１／２インチ）である、カバー。
【請求項２１】
請求項１３に記載のカバーにおいて、前記本体部分は前縁部及び後縁部を有し、前記傾斜した第１スライド表面は前記本体部分後縁部に近く、前記傾斜した第２スライド表面は前記本体部分前縁部に近い、カバー。
【請求項２２】
請求項２１に記載のカバーにおいて、前記アクセス開口部は、前記本体部分後縁部に向かって傾斜した平らな開口部を画成する、カバー。
【請求項２３】
請求項１３に記載のカバーにおいて、前記傾斜した第１スライド表面は第１及び第２の両スライド表面側縁部を有し、第１支持壁が前記カバー表面と前記第１スライド表面側縁部との間を延び、第２支持壁が前記カバー表面と前記第２スライド表面側縁部との間を延びる、カバー。
【請求項２４】
請求項２３に記載のカバーにおいて、前記傾斜した第１スライド表面は第１横縁部で終端し、前記傾斜した第２スライド表面は前記第１横縁部から軸線方向に間隔が隔てられた第２横縁部で終端し、前記第１及び第２の横縁部及び第１及び第２の支持壁が、前記アクセス開口部から間隔が隔てられており且つ前記アクセス開口部に対して所定の角度をなす実質的に矩形の下開口部を画成する、カバー。
【請求項２５】
請求項１３に記載のカバーにおいて、前記アクセス開口部は、前開口部縁部、後開口部縁部、及び前記前開口部縁部と前記後開口部縁部との間を延びる両側縁部によって画成されている、カバー。
【請求項２６】
請求項２５に記載のカバーにおいて、壁部分が、前記前開口部縁部及び両側開口部縁部と近接して前記カバー表面から上方に延びる、カバー。
【請求項２７】
請求項２６に記載のカバーにおいて、蓋部分が、前記後開口部縁部と近接して前記本体部分にヒンジ連結されており、前記壁部分及び前記蓋部分は、前記蓋位置が作動可能位置にある場合、前記アクセス開口部に向かう漏斗を画成する、カバー。
【請求項２８】
請求項２６に記載のカバーにおいて、前記カバー表面は外周を有し、前記カバー表面の少なくとも一部が前記壁部分から前記外周まで下方に傾斜している、カバー。
【請求項２９】
開放端を持つ医療用廃棄物処分容器用蓋アッセンブリを形成する方法において、
直線的に分離できる金型アッセンブリ内に型成形可能な材料を配置する工程であって、前記金型アッセンブリは、前記容器開放端を実質的に閉鎖する形体を持つカバー表面を形成する形体の第１キャビティ部分、この第１キャビティ部分と流体連通しており且つ前記カバー表面から延びる傾斜した第１スライド表面を形成する形体を備えた第２キャビティ部分、及び前記第１キャビティ部分と流体連通しており且つ前記カバー表面から延びる傾斜した第２スライド表面を形成する形体を備えた第３キャビティ部分を持ち、前記第２及び第３キャビティ部分は、前記第１及び第２のスライド表面が互いに重ならない関係で軸線方向に離間される形体を備えている、工程、
前記金型アッセンブリを直線的方向で分離する工程、及び
曲がりくねった経路を持つアクセス開口部を画成する第１及び第２のスライド表面を持つ形成されたカバーを前記金型アッセンブリから取り出す工程を含む、方法。
【請求項３０】
請求項２９に記載の方法において、前記型成形可能な材料を配置する工程は、型成形可能な材料を前記キャビティ部分に注入する工程を含む、方法。
【請求項３１】
請求項３０に記載の方法において、前記型成形可能な材料はプラスチックである、方法。
【請求項３２】
容器開放端を画成する医療用廃棄物処分容器用のカバーにおいて、
前記容器開放端を実質的に閉鎖する形体のカバー表面を含む本体部分であって、所与の周囲を有し、前記カバー表面を貫通したアクセス開口部を有し、前記アクセス開口部と隣接した前記カバー表面から一体に垂下した少なくとも一つの固定された傾斜した第１表面を更に含む、本体部分、
前記アクセス開口部を選択的に閉鎖する形体の蓋部分、及び
前記所与の周囲の一部に沿って延び、前記蓋部分を前記本体部分にヒンジ相互連結する一体に形成されたヒンジを含む、カバー。
【請求項３３】
請求項３２に記載のカバーにおいて、フランジが前記カバー表面の少なくとも一部分から垂下している、カバー。
【請求項３４】
請求項３３に記載のカバーにおいて、前記フランジは前記容器と係合し、これによって前記カバーを前記容器に固定する形体を備えている、カバー。
【請求項３５】
請求項３４に記載のカバーにおいて、前記フランジは、前記容器と係合する形体の少なくとも二つの内方に延びるタブを含む、カバー。
【請求項３６】
請求項３３に記載のカバーにおいて、前記周囲は、前記カバー表面の外部分、前記フランジの一部、又は前記カバー表面の外部分及び前記フランジの一部の組み合わせによって画成されている、カバー。
【請求項３７】
請求項３２に記載のカバーにおいて、前記蓋部分は、所与の長さを持つ横縁部を含み、前記ヒンジは実質的に前記蓋表面横縁部の長さに沿って延びている、カバー。
【請求項３８】
請求項３２に記載のカバーにおいて、少なくとも一つのストラップが前記蓋部分と前記ヒンジとの間を延びる、カバー。
【請求項３９】
請求項３８に記載のカバーにおいて、前記固定された傾斜した第１表面は、前記カバー表面から距離Ｙだけ垂下しており、前記第１本体部分は深さＤを有し、この深さＤは距離Ｙよりも大きい、カバー。
【請求項４０】
請求項３９に記載のカバーにおいて、前記蓋部分は蓋表面を含み、第２ヒンジが前記ストラップと前記蓋表面との間を延びており、前記第２ヒンジは前記第１ヒンジから深さＤとほぼ等しい距離だけ間隔が隔てられている、カバー。
【請求項４１】
請求項４０に記載のカバーにおいて、前記ストラップは第１及び第２のヒンジ間に位置決めされた係止タブを含み、この係止タブは前記本体部分に関して係止し、前記蓋表面を作動可能な位置に維持する、カバー。
【請求項４２】
請求項３２に記載のカバーにおいて、前記蓋部分は、前記蓋部分を前記アクセス開口部を閉鎖するように位置決めしたとき、前記本体部分と係合し、前記蓋部分を前記本体部分に対して係止する少なくとも一つの係止タブを含む、カバー。
【請求項４３】
請求項３２に記載のカバーにおいて、前記カバー表面は前縁部及び後縁部を有する、カバー。
【請求項４４】
請求項４３に記載のカバーにおいて、前記後縁部は実質的に平らな形体を有する、カバー。
【請求項４５】
請求項４３に記載のカバーにおいて、前記前縁部は山形形状を有する、カバー。
【請求項４６】
請求項４３に記載のカバーにおいて、前記アクセス開口部は前記前縁部よりも前記後縁部の近くに位置決めされている、カバー。
【請求項４７】
開放端を持つ医療用廃棄物処分容器用のカバーを形成する方法において、
直線的に分離できる金型アッセンブリ内に型成形可能な材料を配置する工程であって、前記金型アッセンブリは、貫通したアクセス開口部を除いて前記容器開放端を実質的に閉鎖する形体を持つカバー表面を持つ本体部分を形成する形体の第１キャビティ部分、前記アクセス開口部と隣接して第１キャビティ部分と流体連通しており且つ傾斜したスライド表面を形成する形体を備えた第２キャビティ部分、及び前記カバーの蓋部分を形成する形体を備えた第３キャビティ部分、及び前記第１及び第３のキャビティ部分間を延び且つこれらのキャビティ部分を流体連通する、ヒンジを形成する形体を備えた第４キャビティ部分を持つ、工程、及び
前記蓋部分が前記本体部分に一体にヒンジ止めされており且つ固定された傾斜したスライド表面が前記カバー表面から垂下した形成されたカバーを前記金型アセンブリから取り出す工程を含む、方法。
【請求項４８】
請求項４７に記載の方法において、前記第１キャビティ部分は、更に、前記カバー表面の一部から垂下したフランジを形成する形体を備えており、前記フランジの少なくとも一部はアクセス開口部に向かって及び前記ヒンジから遠ざかる方向で内方に角度をなしている、方法。
【請求項４９】
請求項４７に記載の方法において、前記第４キャビティ部分は、更に、前記ヒンジと前記蓋部分との間を延びるストラップを画成する形体を備えている、方法。
【発明の詳細な説明】
【技術分野】
【０００１】
本発明は、医療用廃棄物処分容器用のカバー及び医療用廃棄物処分容器用カバーの製造方法に関する。更に詳細には、本発明は、自在に枢動する上閉鎖蓋を持つ医療用廃棄物処分容器に関し、更に詳細には、枢動蓋部分を一体に備えており且つ曲がりくねった経路を一体に備えたアクセス開口部を持つ本体部分を含む容器カバーに関する。
【背景技術】
【０００２】
医療用廃棄物が発生する手術室、術前室、又は術後室、病室、又は他の臨床的又は非臨床的環境で医療用廃棄物を受け入れるため、病院で使用するための様々な種類の容器が開発されてきた。これらの容器は、特に、医師、看護士、又は他の病院職員等のこのような容器の使用者を、容器内に処分された医療用廃棄物から保護するように設計されている。このような病院の廃棄物には、針、注射器、メス刃、等の医療用の先の尖ったものが含まれ、又はガーゼ、包帯、スポンジが含まれる。先の尖ったもの用の容器の使用者が、容器の内容物によって誤って切られたり刺されたりすることがないようにするのが重要である。
【０００３】
このような容器の例には、「先が尖ったものを収集するシステム用の隠されたロックを持つ取り付けブラケット」という表題の米国特許第５，０５８，７６４号、「曲がりくねった経路を備えた病室用医療用廃棄物処分容器」という表題の米国特許第５，０８０，２５１号、及び「枢動式上部閉鎖蓋を持つ壁取り付け型医療用廃棄物処分容器」という表題の米国特許第５，４９４，１８６号に示されているのが含まれる。
【特許文献１】米国特許第５，０５８，７６４号
【特許文献２】米国特許第５，０８０，２５１号
【特許文献３】米国特許第５，４９４，１８６号
【発明の開示】
【発明が解決しようとする課題】
【０００４】
従来技術の容器は、所望レベルの保護を提供するけれども、一般的には、別々に形成された後に組み立てられるべき様々な構成要素を必要とする。これらの追加の工程は、製造プロセスに要する費用及び複雑性を追加する。
【課題を解決するための手段】
【０００５】
少なくとも一つの実施例では、カバーは、容器の開放端を実質的に閉鎖する形体の本体部分を含む。本体部分は所与の周囲を有し、曲がりくねった経路を持つアクセス開口部を画成する。アクセス開口部を選択的に閉鎖する形体を持つ蓋部分が、この蓋部分と本体部分の所与の周囲の一部との間を延びる一体成形されたヒンジを介して本体部分にヒンジ止めで相互連結されている。
【０００６】
少なくとも一つの実施例では、カバーは、容器開放端を実質的に閉鎖する形体を備えたカバー表面を含む。本体部分は、カバー表面から垂下した第１及び第２のスライド表面を更に含む。第１及び第２のスライド表面は、重ならない関係で軸線方向に間隔が隔てられており、曲がりくねった経路を持つアクセス開口部をカバー表面を通して画成する。
【０００７】
少なくとも一つの実施例では、容器は、開放端及びこの開放端から所与の方向に延びる軸線を持つ容器本体を含み、カバーは、容器の開放端を実質的に閉鎖する形体の本体部分を含む。本体部分は、軸線方向に間隔が隔てられた第１及び第２の両横縁部を持つ曲がりくねった経路を持つアクセス開口部を画成する。本体部分は、少なくとも、第１横縁部を画成する一体の第１スライド表面を含む。第１及び第２の横縁部は、これらの第１及び第２の横縁部を通って延びる平面が、所与の方向と平行であり且つ第２横縁部を通って延びる平面に対し、０°乃至約２０°の角度をなすように形成されている。
【０００８】
一つの例示の実施例による方法は、曲がりくねった経路を持つ容器金型を画成する形体の一つ又はそれ以上のキャビティを持つ直線的に分離できる金型アッセンブリ内に型成形可能な材料を置く工程、及び一体成形されたカバーを金型アッセンブリから取り出す工程を含む。
【０００９】
本発明は、以下の詳細な説明を添付図面を参照して読むことにより最もよく理解される。一般的な実務に従って、図面の様々な特徴は、縮尺が同じではないということを強調しておく。逆に、様々な特徴の寸法は、明瞭化を図るため、随意に拡大したり縮小したりしてある。
【発明を実施するための最良の形態】
【００１０】
次に、添付図面に示すために選択された幾つかの実施例を参照して本発明を説明する。本発明の範囲及び精神は、例示の実施例に限定されないということは理解されよう。更に、添付図面は任意の特定の比率又は縮尺で表されているのでないということは理解されよう。更に、例示の実施例で言及した任意の寸法は、単に例示の目的で提供されたに過ぎない。本発明は、例示の実施例の任意の特定の寸法、材料、又は他の詳細に限定されない。
【００１１】
図１乃至図７を参照すると、これらの図には本発明の第１実施例のカバー１０が示してある。カバー１０は、医療用廃棄物処理容器２に位置決めされるように形成されている。容器２は、全体として、ベース６から延びる前壁４、一対の側壁３、及び後壁５によって画成された本体を含む。壁３、３、４、及び５は、ベース６の反対側に全体に開放した端部７を画成する。開放端７はその周囲に亘ってリム８を画成する。リム８は様々な形態をとっていてもよい。図３に示すように、壁３、３、４、及び５の縁部は丸味を以て返してあり、リム８を画成するが、返しは必要ではなく、他の形体を使用してもよい。
【００１２】
壁３、３、４、及び５は全体に全体に平らな表面であるが、様々な形体を取ってもよい例えば、この実施例の前壁４は山形形状を画成する。この実施例では後壁５は実質的に平らな表面であり、これにより容器２を壁等に当てて置くことができる。容器２は、ベース６から開放端７まで延びる中央軸線ＣＡを有する。容器２は、代表的には使用時に中央軸線ＣＡが垂直方向に延びる垂直位置で位置決めされる。この代表的な構成では、開放端部７は水平方向平面に沿って延びる。容器２の他の形体及び他の取り付け構成を使用してもよい。
【００１３】
カバー１０は、一般的には、本体部分１２及び蓋部分５０を含む。本体部分１２は、容器の開放端を実質的に覆い、これによって閉鎖するように形成されたカバー表面１４を含む。カバー表面１４は、全体として、容器リム８の形体に合った形体を有する。このように、本実施例では、カバー表面１４の前部分は山形形状を有し、後部分は平らな後壁と対応する形状を有する。
【００１４】
フランジ１６がカバー表面１４の少なくとも一部から垂下している。フランジ１６は、容器開放端リム８の周囲に嵌着するように形成されている。フランジ１６は、容器リム８の周囲に亘って連続していてもよい（図１乃至図７に示すカバー１０の実施例におけるように）し、又はセグメント状になって容器リム８の周囲の様々な位置に設けられていてもよい。本体部分１２には、好ましくは、カバー１０を容器２に固定するための手段が設けられている。本実施例では、容器リム８と係合するように形成された係止タブ１７が、図５に示すように、フランジ１６の周囲の様々な位置に設けられている。別の態様では、本体部分１２は、容器２に関して摩擦嵌めしていてもよいし、本体部分１２と容器２との間をクリップ（図示せず）が延びていてもよく、フランジ１６と係合する突出部が容器リム８に設けられていてもよく、又は容器リム８に設けられたボアを通って延びる突出部が本体部分１２に設けられていてもよい。本体部分１２は、更に、容器２と係合してカバー１０を容器２に対して更に支持するように形成された内リブ１３が設けられていてもよい。
【００１５】
本体部分１２は、カバー表面１４を通るアクセス開口部２０を有する。このアクセス開口部２０は、後横縁部１９、前横縁部２１、及び後縁部１９と前縁部２１との間を延びる向き合った側縁部２３及び２５によって画成された入口領域内に位置決めされている。前壁２２は前横縁部２１に沿って設けられ、両側壁２６、２８は側縁部２３、２５の夫々に沿って延びている。蓋部分５０は、以下に更に詳細に説明するように、後縁部１９の近くまで延びている。
【００１６】
図３及び図７に示すように、側壁２６、２８は、アクセス開口部縁部２３、２５を越えて蓋部分５０のヒンジ５４の位置まで延びていてもよい。使用に当たっては、蓋部分５０を壁面に当たる実質的に垂直な即ち上方に角度をなした位置まで枢動させた状態で容器２を壁面等に固定する。蓋部分５０には、蓋５０がこの位置にあるときに使用者に面する内面に注意書きが書いてある。例えば、蓋部分５０は、随意であるが、「先が尖ったものを横にしてこの開口部に落として下さい」等の情報又はカバー１０を使用する人へ知らせる他の印が設けられている。
【００１７】
この使用位置では、蓋部分５０、開口部前壁２２、及び開口部側壁２６、２８は、アクセス開口部２０内への漏斗を効果的に画成する。これによって、この漏斗領域内に位置決めされた先が尖ったもの又は他の装置は、アクセス開口部２０に差し向けられる。図１を参照すると、カバー表面１４は、開口部前壁２１及び開口部側壁２６、２８から周囲Ｐまで下方に傾斜している。このように、傾斜したカバー表面１４は、先が尖ったもの又は他の装置を受け入れるように形成されていない。この形体により、使用者は、先が尖ったもの又は他の装置をカバー表面１４に故意に又は不時に置こうとはしなくなる。こうした行為は、この使用者又は後の使用者に危険を負わせてしまう。
【００１８】
図３を参照すると、実質的に固定された曲がりくねった経路が、後横縁部１９、前横縁部２１、及び両側縁部２３、及び２５によって画成された入口領域からアクセス開口部２０を通って延びており、容器キャビティ内への曲がりくねった入口通路を提供する。曲がりくねった入口通路により、医療用機器及び／又は廃棄物は、定置の表面を通って妨げなく通過できる。この際、手を容器へ挿入することを不可能ではないにしろ困難にする。本実施例では、曲がりくねった経路は、前横縁部２１から延びる前スライド３０及び後横縁部１９から延びる後スライド４０によって画成される。前後のスライド３０、４０はカバー表面１４と一体成形されている。好ましい製造方法を以下に更に詳細に説明する。
【００１９】
前スライド３０は、横縁部３４に沿って終端する傾斜した前スライド表面３２を含む。前スライド表面３２は両側壁２６、２８間を横方向に延び、全体に平らな形体を有するが、この他の形体が可能である。後スライド４０は、横縁部４４に沿って終端する傾斜した後スライド表面４２を含む。後スライド表面４２は、傾斜が横縁部４４に向かって小さくなる湾曲した形状を有する。この他の形体が可能である。後スライド表面４２は、図２に示すように、後スライド表面縁部４１と４３との間を横方向に延びる。各側壁２６、２８は、側壁２６、２８から夫々のスライド表面縁部４１、４３まで延びる延長壁部分２７、２９を夫々含み、即ちこれらの壁部分まで延びている。延長壁部分２７、２９は、後縁部１９と前スライド表面の横縁部３４との間を延びるが、更に延びていてもよい。
【００２０】
延長壁部分２７、２９は、置かれた材料を後スライド表面４２の横延長部内に保持し、後スライド４０の後スライド表面４２に対して更に支持を提供する。従って、実質的に矩形の下開口部が後スライド表面４２の横縁部４４及び延長壁部分２７、２９の前縁部によって画成される。この下開口部は、以下に更に詳細に説明するように、実質的に垂直な平面又は垂直平面に対して所定の角度をなした平面内で配向される。追加の支持を提供するため、支持リブ４６等が、後スライド４０の後面に沿って、反対側の後スライド表面４２にスライド縁部４１と４３との間の様々な位置に設けられていてもよい。
【００２１】
従って、アクセス開口部２０の周縁部は、後横縁部１９、前横縁部３４、及び延長壁部分２７、２９の上延長部によって画成される。かくして、実質的に矩形（図１乃至図７に示す実質的において）のアクセス開口部２０が、カバー１０の後部に向かって傾斜した平面に沿って配向される。
【００２２】
カバー１０の入口領域を通って曲がりくねった経路に導入された医療用廃棄物は、円弧状の経路を辿って容器２の内部に入る。更に詳細には、医療用廃棄物は、後横縁部１９、前横縁部２１、及び両側縁部２３及び２５によって画成された入口領域に入り、後横縁部１９、前横縁部３４、及び延長壁部分２７、２９の上縁部によって画成されたアクセス開口部２０を通って移動し、後スライド表面４２の横縁部４４及び延長壁部分２７、２９の前縁部によって画成された下開口部を通過した後、容器２の内部に処分される。
【００２３】
前スライド３０及び後スライド４０は、前スライド表面３２が後スライド表面４２から軸線方向垂直方向で重ならないように間隔が隔てられるように形成されている。更に詳細には、中央軸線ＣＡと平行であり且つ前スライド表面３２の前横縁部３４を通って延びる平面Ｓ１は、中央軸線ＣＡと平行であり且つ後スライド表面４２の前横縁部４４を通って延びる平面Ｓ３から軸線方向水平方向に距離ｄだけ間隔が隔てられている。距離ｄは、０ｍｍ乃至約２５．４ｍｍ（０インチ乃至約１インチ）であり、更に好ましい範囲は約３．１７５ｍｍ乃至約１５．８７５ｍｍ（約１／８インチ乃至約５／８インチ）であり、更に好ましい範囲は約６．３５ｍｍ乃至約１２．７ｍｍ（約１／４インチ乃至約１／２インチ）である。更に、前スライド表面３２の前横縁部３４及び後スライド表面４２の横縁部４４を通って延びる平面Ｓ２（即ち、後スライド表面４２の横縁部４４及び延長壁部分２７、２９の前縁部によって画成された下開口部の平面）は、平面Ｓ１に対して所定の角度αをなす。この角度αは、０°乃至約２５°であり、好ましい範囲は０°以上乃至約２０°であり、更に好ましい範囲は約２°乃至約１５°であり、更に好ましい範囲は約５°乃至約１０°である。距離ｄ及び角度αは、所望の廃棄物隙間及び使用者が所望の通りに進入しないようにする曲がりくねった経路の入口通路を提供するように選択される。
【００２４】
曲がりくねった経路が実質的に固定されているため、使用者は、アクセス開口部２０に続く漏斗領域に物品を落とすことによって、物品を容器２内に処分できる。物品は、重力により、前後のスライド３０、４０によって容器２内に通過する。使用者は、処分を行うためにカバー１０を動かす必要がなく、又は処分中にカバー１０にどのような方法でも触れる必要がない。処分された物品は、容器２内に自由に通過するが、曲がりくねった経路は人が容器２内に届く可能性を減少し、又はなくす。
【００２５】
本実施例を前スライド３０及び後スライド４０に関して説明したが、これらは必ずしもなくてもよい。例えば、前スライド３０をなくしてもよく、その場合、後スライド表面４２が軸線方向前方に延長される。前スライド３０をなくした場合、平面Ｓ１は開口部前縁部２１を通って延びる。そのように変更した場合、カバー１０に設けられた平面Ｓ１及びＳ３の間の空間的関係及び平面Ｓ２及びＳ１の間の角度関係は、所望の曲がりくねった経路を提供するために維持される。
【００２６】
更に、本実施例を、軸線方向長さが前スライド表面３２よりも大きい後スライド表面４２に関して説明したが、このような形体は逆にしてもよい。例えば、前スライド表面３２の前横縁部３４が後スライド表面４２の横縁部４４よりも下になるように、前スライド表面３２を軸線方向長さが大きく且つ急な角度で延びるように形成してもよい。この他の形体を使用してもよい。
【００２７】
容器が所望のレベルまで満たされた後にアクセス開口部２０を閉鎖するため、カバー１０は、入口領域及びアクセス開口部２０を覆って閉じるように形成された蓋部分５０を含む。本実施例では、蓋部分５０は、本体部分１２の外周Ｐの後縁部に沿って本体部分１２に一体にヒンジ止めされる。外周Ｐは、カバー表面１４の外部分及びフランジ１６によって画成されている。周囲Ｐは、例えば、フランジ１６が周囲の一部に沿ってカバー表面１４の半径方向外方に延びているが周囲の他の部分に沿ってカバー表面１４の内方に延びている場合には、カバー表面１４及びフランジ１６の両方によって画成されていてもよい。フランジ１６が外側の場所では、フランジ１６は周囲Ｐの部分を画成し、カバー表面１４が外側の場所では、カバー表面１４が周囲Ｐの部分を画成する。
【００２８】
蓋部分５０は、入口領域及び／又はアクセス開口部２０の形状を補完するように形成された蓋表面５２を含む。本実施例では、蓋表面５２は実質的に矩形形体を有するが、他の形体も可能である。一体ヒンジ５４（例えば一体蝶番）が蓋表面５２と本体部分１２の後周縁部１５との間を延びている。本実施例のヒンジ５４は、実質的に蓋表面５２の全長に沿って延びているが、ヒンジ５４は、蓋表面５２の長さ以下に亘って延びる一つ又はそれ以上のセグメントとして形成されていてもよい。図５に示すように、ヒンジ５４は、随意であるが、材料の厚さを減少した断面を提供することによって形成される。このように厚さを減少することによって、隣接した蓋部分５０又はカバー部分１０よりも可撓性が大きいヒンジ５４を提供する。従って、ヒンジ５４は、以下に更に詳細に説明するように、蓋部分５０を図３に示す開放位置から図５に示す閉鎖位置まで枢動できるのに十分な可撓性を有する。
【００２９】
蓋部分５０を閉鎖位置に係止するため、蓋部分５０は、蓋表面５２から延びる一つ又はそれ以上の係止タブ５６を含む。各係止タブ５６と対応する係止ボア３６が開口部前縁部２１と隣接して設けられている（図４参照）。本実施例では、係止ボア３６は、前スライド表面３２を通して設けられており、各係止ボア３６は、図４に示すように、前壁２２の下に係止肩部３８を画成する。入口領域及びアクセス開口部２０を閉鎖するため、蓋表面５２を、各係止タブ５６が図７に示すように夫々の係止肩部３８と係合するまで、ヒンジ５４を中心として枢動する。係止タブ５６が係止肩部３８と係合することにより、好ましくは、蓋部分５０を閉鎖位置に永久的に係止し、蓋部分５０が許可なしに開けられることがないようにし、及び／又は蓋部分５０が意図せずに開いてしまうことがないようにする。各係止タブ５６は、好ましくは、係止タブ５６が係止ボア３６から抜けないようにするため、係止ボア３６の幅と同じ幅の支持リブ５５を有する（図１、図２、図３、及び図７参照）。
【００３０】
カバー１０の構成要素及びその作動を概括的に説明したが、本発明の方法の第１実施例であるカバー１０を製造するための方法を図３、図５、及び図８乃至図１１を参照して説明する。本発明の方法の第１実施例は、金型軸線ＭＡと平行な方向で互いに対して直線的に移動できる第１及び第２の金型部分３０２、３０４を含む金型アッセンブリ３００を使用する。金型アッセンブリ３００は、射出成形プロセスで使用するように形成されており、金型部分３０２、３０４が画成するキャビティにプラスチック材料を注入してカバー１０を形成する。使用に当たっては、金型部分３０２、３０４は、これらの金型部分が互いから間隔が隔てられた開放位置（例えば完成したカバー１０を取り出すため）と、金型部分が互いに接触してキャビティを画成する閉鎖位置との間で金型軸線ＭＡに沿って互いに関して移動する。
【００３１】
金型部分３０２、３０４は、これらの金型部分３０２及び３０４の互いに対する整合及び移動を制御するための制御アッセンブリを有する。例えば、一方の金型部分３０４にはポスト３０８が設けられていてもよく、これらのポストは、他方の金型部分３０２の対応するボア３０６に受け入れられ、金型部分３０２及び３０４を整合し、これらの金型部分の直線的移動を制御する。この他のアッセンブリを使用してもよい。
【００３２】
金型アッセンブリ３００は、金型部分３０２及び３０４間に形成されたキャビティ部分３１８、３２０、３２２、３２４、３２６に型成形可能な材料を入れるように形成された一つ又はそれ以上の注入ポート３３０等を有する。金型部分３０２及び３０４、及びキャビティ部分３１８、３２０、３２２、３２４、３２６は、金型部分３０２及び３０４を金型軸線ＭＡと平行な方向で図１１に矢印Ａで示すように直線的に分離するだけで、カバー１０の全ての構成要素が一体の構造として形成されるように形成されている。換言すると、カバー１０を形成する金型キャビティの全ての表面は、本発明の一つの例示の特徴によれば、共通の軸線に沿って移動できる二つの金型部分によって形成される。かくして、簡単であり且つ対費用効果に優れた金型工具及び成形プロセスが随意に使用され、これによって、カバー１０の製造と関連した労力及び費用を減少する。周知の金型アッセンブリは、対照的に、複雑な一体の構造を形成するため、必要な追加の金型構成要素、例えば横方向摺動構成要素を必要とする。
【００３３】
図８乃至図１１を参照すると、両金型部分３０２、３０４は、雄金型表面及び雌金型表面３１０、３１１、３１２、３１３、３１５、３１７、３１９、３２１、３２３、３２５、３２７、３２９、３３１、３３３、３３５を含み、これらの表面は、金型部分３０２及び３０４を互いに対して位置決めしたときにキャビティ部分３１８、３２０、３２２、３２４、３２６を画成するように形成されており且つ位置決めされている。例えば、カバー１０の後スライド４０を形成する形体のキャビティ部分３２４は、金型表面３１１、３１２、及び３１３によって画成されるのに対し、カバー１０の前スライド３０を形成する形体のキャビティ部分３２２は、金型表面３１０、３１５、及び３１７によって画成される。
【００３４】
図１０及び図１１に示すように、金型表面３１０及び３１２は、カバー１０の前スライド表面３２の前横縁部３４及び後スライド表面４２の横縁部４４を通って延びる平面Ｓ２（即ち後スライド表面４２及び延長壁部分２７、２９の前縁部によって画成された下開口部の平面）に沿って噛み合う。平面Ｓ１（中央軸線ＣＡと平行であり且つカバー１０の前スライド表面３２の前横縁部３４を通って延びる平面）は、金型軸線ＭＡと実質的に平行であるように形成されている。噛み合い平面Ｓ２が平面Ｓ１に対して角度αをなすため、二つのキャビティ３２２及び３２４の間を金型表面３１０及び３１２で適切にシールできる。更に、噛み合い平面Ｓ２が角度αをなすため、二つの金型部分３０２及び３０４を、キャビティ部分３２２及び３２４の夫々内で形成された型成形されたスライド表面３２又は４２のいずれとも干渉することなく、金型軸線ＭＡと平行な方向に、矢印Ａが示すように移動して離すことができる。上文中に示したように、一実施例による角度αは、０°乃至約２０°であり、好ましい範囲は約２°乃至約１５°であり、更に好ましい範囲は約５°乃至約１０°である。
【００３５】
リム１６の後部分に沿って係止タブ１７を形成するのを補助するため、追加の金型表面３２５が表面３１３と隣接して設けられていてもよい。図５に示すように、金型表面３２５は、カバー表面１４を通る孔１８を残す。しかしながら、孔１８は、カバー１０内へのアクセスを許容しないのに十分に小さく、蓋部分５０を図７に示すように閉鎖したとき、この蓋部分５０によって覆われる。同様に、図４に示す係止ボア３６を画成するため、金型表面３３５が金型表面３１７と隣接して設けられている。金型表面３３５は、金型表面１３１９と協働し、係止肩部３８を画成する。
【００３６】
金型表面３１９は、更に、本体部分１２を形成する形体のキャビティ部分３２０を画成するため、金型表面３２１及び３２３と協働する。金型表面３２７及び３２９は、蓋表面５２を形成する形体のキャビティ部分３２６を画成するように協働する。金型表面３２７及び３２９は、更に、金型表面３２５と協働し、蓋表面５２と本体部分１２との間にヒンジ５４を形成する形体のキャビティ部分３１８を画成する。金型表面３２９は、好ましくは、図５に平面ＥとＦとの間の角度θで示す内方への抜き勾配を持つフランジ１６を形成する形体である。内方への抜き角度は、ヒンジキャビティ部分３１８を画成し、金型部分３０２及び３０４を分離するのを補助する。金型表面３２７、３３１、及び３３３が協働し、係止タブ５６を形成する形体のキャビティ部分を画成する。
【００３７】
図１１に示すように、金型表面は、好ましくは、金型部分３０２及び３０４の矢印Ａの方向での分離を容易にするため、蓋部分５０を形成するキャビティ部分３２６が金型軸線ＭＡに関してほぼ直角の形体を有する。しかしながら、この他の角度を使用してもよい。
【００３８】
一体のカバー１０を形成するため、例えば注入ポート３３０を通して型成形可能な材料をキャビティ部分に供給する。その後、金型部分３０２を図１１の矢印Ａの方向に分離し、一体のカバー１０を取り出す。カバー１０は、実質的に、いつでも使用でき、カバー１０を組み立てるための二次的作業を実質的に必要としない。
【００３９】
図１２、図１３、及び図１４を参照し、本発明の変形例であるカバー１１０を説明する。カバー１１０は、対費用効果に優れた型成形プロセスを使用して形成できる一部品構造であるという点でカバー１０と同じである。しかしながら、以下に詳細に説明するように、カバー１１０は、蓋を本体部分に連結する方法等が異なっている。
【００４０】
カバー１１０は、本体部分１１２及び蓋部分１５０を含む。本体部分１１２は容器の開放端７を実質的覆うことによって閉鎖するように形成されたカバー表面１１４を含む。カバー表面１１４は、全体として、容器リム８の形体を補完する形体を有する。本実施例では、カバー表面１１４は前部分及び後部分の両方に山形形状を有する。
【００４１】
フランジ１１６がカバー表面１１４の少なくとも一部から垂下している。カバー１１０の本体部分１１２には、好ましくは、カバー１１０を容器２に固定するための手段が設けられている。本実施例では、容器リム８と係合するように形成された係止タブ１１７が、図１４に示すように、フランジ１１６の様々な場所に設けられている。他の固定手段を使用してもよい。
【００４２】
本体部分１１２はカバー表面１１４を貫通したアクセス開口部１２０を有する。このアクセス開口部１２０は、後横縁部１１９、前横縁部１２１、及びこれらの前後の縁部１１９、１２１間を延びる両側縁部１２３及び１２５によって画成されている。図１４を参照すると、実質的に固定された曲がりくねった経路がアクセス開口部１２０から延びており、アクセス開口部１２０から容器キャビティ内への曲がりくねった入口通路を提供し、これによって、医療用機器及び／又は廃棄物を定置の表面を通して妨げなく通すことができると同時に、手を容器に差し込むのを不可能ではないにしろ困難にする。本実施例では、曲がりくねった経路は、開口部の後横縁部１１９から延びる後スライド１３０及び開口部の前横縁部１２１から延びる前スライド１４０によって画成される。後スライド１３０及び前スライド１４０は、カバー表面１１４と一体成形されている。
【００４３】
後スライド１３０は、横縁部１３４に沿って終端する傾斜した後スライド表面１３２を含む。この後スライド表面１３２は、向き合った側壁１２７の間を横方向に延び、全体に平らな形体を有するが、この他の形体が可能である。前スライド１４０は、横縁部１４４に沿って終端する段をなした前スライド表面を有する。この段をなした表面は、傾斜した第１部分１４２、これに続く実質的に水平な段部１４６、これに続く傾斜した第２部分１４８を含み、第２部分は横縁部１４４に沿って終端する。第１及び第２のスライド表面１４２及び１４８は実質的に平らな表面であるが、その外の形体も可能である。
【００４４】
従って、アクセス開口部１２０の周縁部は、後横縁部１１９及び横縁部１２１、及び側壁１２７の上縁部によって画成される。かくして、実質的に矩形のアクセス開口部１２０（図１２、図１３、及び図１４に示す実施例）は、実質的に水平であるがカバー１１０の後部に向かって傾斜していてもよい平面に沿って配向される。
【００４５】
前スライド１４０の水平な段１４６は、以下に説明するように、蓋部分１５０に設けられた係止タブ１５６を受け入れるように形成された複数の係止ボア１３６を含む。前スライドは側壁１２７間を横方向に延びる。後スライド１３０及び前スライド１４０及び側壁１２７は容器内への漏斗状経路を効果的に画成する。従って、実質的に矩形の下開口部が、前スライド表面１４２の横縁部１４４及び側壁１２７の下縁部によって画成される。下開口部は、以下に更に詳細に説明するように、垂直平面に対して実質的に垂直な又は所定の角度をなした平面内で配向される。
【００４６】
カバー１１０の入口領域を通る曲がりくねった経路内に導入された医療用廃棄物は、曲がりくねった経路を通って容器２の内部に入る。更に詳細には、医療用廃棄物は、入口領域に入り、後横縁部１１９、前横縁部１２１、及び側壁１２７の上縁部によって画成されたアクセス開口部１２０を通って移動し、前スライド表面１４２の横縁部１４４及び側壁１２７の下縁部によって画成された下開口部を通過した後、容器の内部内に処分される。
【００４７】
後スライド１３０及び前スライド１４０は、後スライド表面１３２が前第２スライド表面１４８から、重ならない関係で軸線方向に間隔が隔てられるように形成される。中央軸線ＣＡと平行であり且つ後横縁部１３４を通って延びる平面Ｓ１は、中央軸線ＣＡと平行であり且つ前横縁部１４４を通って延びる平面Ｓ３から軸線方向に距離ｄだけ間隔が隔てられている。距離ｄは０ｍｍ乃至約２５．４ｍｍ（０インチ乃至約１インチ）であり、好ましい範囲は０ｍｍ乃至約２２．２２５ｍｍ（０インチ乃至約７／８インチ）であり、更に好ましい範囲は３．１７５ｍｍ乃至約１５．８７５ｍｍ（１／８インチ乃至約５／８インチ）であり、更に好ましい範囲は６．３５ｍｍ乃至約１２．７ｍｍ（１／４インチ乃至約１／２インチ）である。更に、後横縁部１３４及び前横縁部１４４を通って延びる平面Ｓ２は、平面Ｓ１に対して角度αをなす。この角度αは、０°乃至約２５°であり、好ましい範囲は０°以上で約２０°までであり、更に好ましい範囲は約２°乃至約１５°であり、更に好ましい範囲は約５°乃至約１０°である。距離ｄ及び角度αは、所望の廃棄物隙間及び使用者が所望の通りに進入しないようにする曲がりくねった経路の入口通路を提供するように選択される。
【００４８】
容器が所望のレベルまで満たされた後にアクセス開口部１２０を閉鎖するため、カバー１１０は、アクセス開口部２０を覆って閉じるように形成された蓋部分１５０を含む。本実施例では、蓋部分１５０は、本体部分１１２の外周Ｐの後縁部に沿って本体部分１１２に一体にヒンジ止めされている。蓋部分１５０は、アクセス開口部１２０の形状を補完するように形成された蓋表面１５２を含む。本実施例では、蓋表面１５２は矩形形体を有するが他の形体も可能である。
【００４９】
各ストラップ１５３が蓋表面１５２と本体部分１１２の周囲Ｐに沿って延びる一体ヒンジ１５４の夫々との間を延びる。蓋部分１５０を閉鎖位置に係止するため、蓋部分１５０は、蓋表面１５２から延びる一つ又はそれ以上の係止タブ１５６を含む。アクセス開口部１２０を閉鎖するため、各係止タブ１５６が夫々の係止ボア１３６に係合するまで、蓋表面１５２をヒンジ１５４を中心として枢動する。別の態様では、図１３に仮想線で示す係止ボア１３６’がカバー表面１１４に沿って設けられていてもよい。
【００５０】
カバー１１０は、カバー１０に関して上文中に説明した方法を使用して製造できる形体を備えている。金型表面は、カバー１１０の様々な構成要素と対応するキャビティ部分を提供するように構成される。この場合も、構成要素は、一体成形されたカバー１１０を取り出すために金型部分を直線的に分離できる形体を備えている。
【００５１】
図１５、図１６、及び図１７を参照し、本発明の変形例であるカバー２１０を説明する。カバー２１０は、対費用効果に優れた型成形プロセスを使用して形成できる一部品構造であるという点でカバー１０及びカバー１１０と同様である。しかしながら、以下に詳細に説明するように、カバー２１０は、蓋を本体部分に連結する方法等がカバー１０及びカバー１１０と異なっている。
【００５２】
カバー２１０は本体部分２１２及び蓋部分２５０を含む。本体部分２１２は、容器開放端７を実質的に覆い、及びこれによって閉鎖するように形成されたカバー表面２１４を含む。カバー表面２１４は、実質的にドーム状の形体を有し、これによってカバー１０及びカバー１１０と比較して更に優れたプロファイルを提供する。このようなプロファイルは、随意であるが、容器２の容量を最大にするため、カバーの前部分及び側部分の傾斜を急にするため、及び／又はカバーの曲がりくねった経路を画成する表面を深く延ばすことを可能にするために提供される。
【００５３】
カバー表面２１４は、全体として、容器リム８の形体を補完する形体を有する。この実施例では、カバー表面２１４は前部分及び後部分の両方が山形形状を有する。この実施例のカバー表面２１４は比較的急な傾斜を有し、本体部分２１２は、上文中に言及した上掲の実施例よりも深い。
【００５４】
フランジ２１６がカバー表面２１４の少なくとも一部から垂下している。本体部分２１２には、好ましくは、カバー２１０を容器２に固定するための手段、例えば容器リム８と係合するように形成された係止タブ等が設けられている。この他の固定手段を使用してもよい。
【００５５】
本体部分２１２は、カバー表面２１４を通るアクセス開口部２２０を有する。このアクセス開口部２２０は、後横縁部２１９、前横縁部２２１、及び後横縁部２１９と前横縁部２２１との間を延びる両側縁部２２３及び２２５によって画成されている。前壁２２２が開口部前横縁部２２１に沿って設けられている。
【００５６】
図１５を参照すると、実質的に固定された曲がりくねった経路がアクセス開口部２２０から延びており、アクセス開口部２２０から容器キャビティ内への曲がりくねった入口通路を形成し、これにより医療用機器及び／又は廃棄物が定置の表面を通って妨げなく通過できると同時に、容器内に手を入れるのを不可能ではないにせよ困難にする。本実施例では、曲がりくねった経路は、開口部後横縁部２１９から延びる後スライド２３０及び開口部前横縁部２２１から延びる前スライド２４０によって画成される。後スライド２３０及び前スライド２４０は、カバー表面２１４と一体成形されている。
【００５７】
後スライド２３０は、横縁部２３４に沿って終端する傾斜した後スライド表面２３２を含む。前スライド２４０は、横縁部２４４に沿って終端する前スライド表面２４２を含む。前スライド表面２４２はカバー表面２１４から所定距離Ｙだけ垂下している。距離Ｙは、好ましくは、スライド表面２４２を容器２の内部よりも上に維持するため、本体部分２１２の深さＤよりも小さい。後スライド表面２３２及び前スライド表面２４２は実質的に平らな表面であるが、この他の形体も可能である。
【００５８】
後スライド２３０及び前スライド２４０は、後スライド表面２３２が前スライド表面２４２から重ならない関係で軸線方向に間隔が隔てられるように形成されている。中央軸線ＣＡと平行であり且つ後横縁部２３４を通って延びる平面Ｓ１は、中央軸線ＣＡと平行であり且つ前横縁部２４４を通って延びる平面Ｓ３から軸線方向に距離ｄだけ間隔が隔てられている。距離ｄは、０ｍｍ乃至約２５．４ｍｍ（０インチ乃至約１インチ）であり、好ましい範囲は０ｍｍ乃至約２２．２２５ｍｍ（０インチ乃至約７／８インチ）であり、更に好ましい範囲は３．１７５ｍｍ乃至約１５．８７５ｍｍ（１／８インチ乃至約５／８インチ）であり、更に好ましい範囲は６．３５ｍｍ乃至約１２．７ｍｍ（１／４インチ乃至約１／２インチ）である。更に、後横縁部２３４及び前横縁部２４４を通って延びる平面Ｓ２は、平面Ｓ１に対して角度αをなす。この角度αは、０°乃至約２５°であり、好ましい範囲は０°以上で約２０°までであり、更に好ましい範囲は約２°乃至約１５°であり、更に好ましい範囲は約５°乃至約１０°である。距離ｄ及び角度αは、所望の廃棄物隙間及び使用者が所望の通りに進入しないようにする曲がりくねった経路の入口通路を提供するように選択される。
【００５９】
従って、アクセス開口部２２０の周縁部は、後横縁部２１９、前横縁部２２１、及び両側縁部２２３及び２２５の上縁部分によって画成される。かくして、実質的に矩形のアクセス開口部２２０（図１５、図１６、及び図１７に示す実施例において）が、実質的に水平であるけれどもカバー２１０の後部に向かうように傾斜していてもよい平面に沿って配向される。実質的に矩形の下開口部がスライド表面２４２の横縁部２４４及び両側縁部２２３及び２２５の下縁部分によって画成されている。下開口部は、以下に更に詳細に説明するように、垂直平面に対して実質的に垂直な、又は所定の角度をなした平面内で配向される。
【００６０】
カバー２１０の入口領域を通って曲がりくねった経路に導入された医療用廃棄物は、円弧状の経路を通って容器２の内部に入る。更に詳細には、医療用廃棄物は、入口領域に入り、後横縁部２１９、前横縁部２２１、及び両側縁部２２３及び２２５の上縁部分によって画成されたアクセス開口部２２０を通って移動し、曲がりくねったスライド表面２４２の横縁部２４４及び両側縁部２２３及び２２５の下縁部分によって画成された下開口部を通過した後、容器２の内部内に処分される。
【００６１】
容器が所望のレベルまで満たされた後にアクセス開口部２２０を閉鎖するため、カバー２１０は、アクセス開口部２２０を覆って閉じるように形成された蓋部分２５０を含む。本実施例では、蓋部分２５０は、本体部分２１２の外周Ｐに沿って、ストラップ２５３を介して本体部分２１２に一体にヒンジ止めされる。蓋部分２５０は、アクセス開口部２２０の形状を補完する形体の蓋表面２５２を含む。各ストラップ２５３は、蓋表面２５２と本体部分２１２の周囲Ｐに沿って延びる夫々の一体ヒンジ２５４との間を延びる。
【００６２】
本体部分２１２が（カバーの他の実施例の本体部分１２及び１１２と比較して）深いため、ストラップ２５３は長く、中間係止タブ２５５及び第２ヒンジ２５７を含む。蓋表面２５２を作動位置まで移動するため、ストラップ２５３をヒンジ２５４を中心として枢動し、中間係止タブ２５５をカバー表面２１４の中間係止ボア２３５に挿入する。ストラップ２５３は、本体部分２２の深さＤとほぼ等しい長さＬを有し、そのため、係止タブ２５５を係止ボア２３５内に係止したとき、ヒンジ２５７は本体部分２１２の頂部と隣接する。このように、蓋部分２５０を閉鎖位置に係止するため、蓋表面２５２を、各係止タブ２５６が夫々の係止ボア２３６と係合するまで、ヒンジ２５７を中心として枢動する。
【００６３】
カバー２１０は、カバー１０に関して上文中に説明した方法を使用して製造できる形体を備えている。金型表面は、カバー２１０の様々な構成要素と対応するキャビティ部分を提供するように構成されている。図１５は、内部構成要素、例えば内部係止タブ（図示せず）を型成形するために設けられていてもよいボア２１８を示す。この場合も、構成要素は、一体成形されたカバー２１０を取り出すために金型部分を真っ直ぐに分離できるように形成されている。
【００６４】
本発明を特定の実施例を参照して例示し且つ説明したが、本発明は、図示の詳細に限定されるものではない。というよりはむしろ、本発明から逸脱することなく、特許請求の範囲及びその等価物の範囲内で詳細を様々に変更してもよい。
【図面の簡単な説明】
【００６５】
【図１】例示の容器の上に位置決めした本発明の第１実施例のカバーを前方及び上方から見た斜視図である。
【図２】図１のカバーの平面図である。
【図３】図２の３−３線に沿った断面図である。
【図４】図３に示すカバーの係止部分の詳細図である。
【図５】図３に示すカバーのヒンジ部分の詳細図である。
【図６】図１のカバーを下方及び後方から見た斜視図である。
【図７】閉鎖位置にある蓋部分を示す、図３と同様の断面図である。
【図８】図１のカバーの製造に使用される金型アッセンブリの一実施例の第１部分の斜視図である。
【図９】図１のカバーの製造に使用される金型アッセンブリの第２部分の斜視図である。
【図１０】図８及び図９の金型部分を組み立て形体で示す、側断面図である。
【図１１】図１０の金型アッセンブリのキャビティ部分の詳細図である。
【図１２】本発明の第２実施例のカバーを前方及び上方から見た斜視図である。
【図１３】図１２のカバーの平面図である。
【図１４】図１３の１４−１４線に沿った断面図である。
【図１５】本発明の第３実施例のカバーの平面図である。
【図１６】図１５の１６−１６線に沿った側断面図である。
【図１７】蓋部分を作動位置で示す図１６と同様の側断面図である。
【符号の説明】
【００６６】
２  医療用廃棄物処理容器
３  側壁
４  前壁
５  後壁
６  ベース
７  端部
８  容器リム
１０  カバー
１２  本体部分
１３  内リブ
１４  カバー表面
１６  フランジ
１７  係止タブ
１９  後横縁部
２０  アクセス開口部
２１  前横縁部
２２  前壁
２３、２５  側縁部
２６、２８  側壁
２７、２９  延長壁部分
５０  蓋部分
５４  ヒンジ
３０  前スライド
３２  前スライド表面
３４  横縁部
４０  後スライド
４１  スライド縁部
４２  後スライド表面
４３  スライド縁部
４４  横縁部
【図１】
2006315860.tif 000003
【図２】
2006315860.tif 000004
【図３】
2006315860.tif 000005
【図４】
2006315860.tif 000006
【図５】
2006315860.tif 000007
【図６】
2006315860.tif 000008
【図７】
2006315860.tif 000009
【図８】
2006315860.tif 000010
【図９】
2006315860.tif 000011
【図１０】
2006315860.tif 000012
【図１１】
2006315860.tif 000013
【図１２】
2006315860.tif 000014
【図１３】
2006315860.tif 000015
【図１４】
2006315860.tif 000016
【図１５】
2006315860.tif 000017
【図１６】
2006315860.tif 000018
【図１７】
2006315860.tif 000019
【外国語明細書】
2006315860000001.pdf